(57)【特許請求の範囲】
【請求項１】
電子機器の本体の上面部に配設される操作入力手段と、
該操作入力手段の後方部位において回動自在に支持され、かつ閉状態において前記操作入力手段と対向した位置に配設されてなり、前記操作入力手段の蓋体となる表示部手段と、
前記本体に着脱自在な外部記憶装置を収納固定する収容部と、
第１のポジションと第２のポジションとの間で移動可能な施錠手段とを有し、前記施錠手段が、前記第１のポジションに位置する場合は、前記表示部手段が開閉可能な状態であると共に、前記外部記憶装置の施錠が不可な状態であり、前記施錠手段が前記第２のポジションに位置する場合は、前記表示部手段を閉状態で施錠した状態であると共に、前記外部記憶装置の施錠が可能な状態であることを特徴とする電子機器。
【請求項２】
前記施錠手段は、前記第２のポジションにおいて、鍵がかけられる孔部を有することを特徴とする請求項１に記載の電子機器。
【発明の詳細な説明】
【０００１】
【産業上の利用分野】
本発明はノート型パソコン、またはワープロ等の電子機器に係り、例えばハードディスクドライブ（以後、ＨＤＤと記す）の内容が悪意の第三者により盗用されることを防止する盗難防止機構を備えた電子機器に関するものである。
【０００２】
【従来の技術】
近年になり、本体の上面部に操作入力部が一体配設され、本体内部に着脱可能な外部記憶装置を有し、本体上面部位において回動自在に支持されるとともに本体に対し角度調整可能でかつ閉状態において操作入部と対向した位置になるようにされた表示器が配設されている。この表示器は、操作入力部を被すようにできる蓋体となるものであって、一般的にノート型パソコン、またはノート型ワープロと呼ばれる機器である。
【０００３】
このようなノート型パソコンやワープロ等の電子機器は益々小型軽量化がすすみ、可搬性が向上して便利となったが、このために悪意の第三者が簡単に持ち去るという問題があった。また、ノート型パソコンやワープロ等の電子機器の大容量外部記憶装置としてＨＤＤが広く知られている。
【０００４】
このＨＤＤは、図５に示すようにケースがパッケージ化されており、ユーザが簡単に着脱できるようになっている。この着脱のためには、開閉可能な蓋を取り付けるようにして、電子機器の本体内部に収納するようにしている。このようなパッケージ化されたＨＤＤパック５は着脱が簡単であるがゆえに、盗難され易いことから、これを防止するために施錠されるように構成されている。
【０００５】
図５、図６は、ＨＤＤパックを内蔵する様子を示した外観斜視図であって、これらの図に基づき装置の様子を述べると、ＨＤＤパック５０の収納部の下面なる部分には、施錠部材７０が不図示の部分でガイドされて摺動可能に取付けられている。ＨＤＤパック５０は本体１内に装着後に、ＨＤＤ蓋６０を被せてから、止めねじ８０で固定して本体１内に収納する。この状態において、ＨＤＤ蓋６０に穿設されている貫通孔の蓋孔６０ａに施錠部材７０の先端部が通過するように構成されている。
【０００６】
この施錠部材７０には操作ツマミ７０ｂが一体的に設けられており、この操作ツマミ７０ｂをスライドさせることにより施錠部材７０の先端部がＨＤＤ蓋孔６０ａより外部に突き出でた施錠可能状態となる。図５は施錠可能状態の外観図であって、ＨＤＤ蓋孔６０ａから突き出た施錠部材７０の先端部には施錠用の施錠用孔７０ａが設けられており、この施錠用孔７０ａに対して机等に固定されたチェーンとともに鍵をかけることによりＨＤＤパック５と共に電子機器本体が盗難されることを防止している。
【０００７】
【発明が解決しようとする課題】
しかしながら上記の従来構成によれば、施錠後でも他人が表示部と操作部を操作して電子機器を操作できるため、例えば悪意の第三者が勝手にＨＤＤパック内のデータを見ることができた。また、もう一つの外部記憶装置であるフロッピーディスクドライブ９等にＨＤＤの内容のデータをコピーして持ち去ることも可能であった。
【０００８】
したがって、本発明の電子機器は上述した問題点に鑑みてなされたものであって、その目的は、本体に対して開閉自在に設けられた表示部を備え、着脱自在にされた外部記憶手段を設けた電子機器において、施錠後において電子機器の本体を持ち帰ることを防止し、他人が表示部と操作部を操作して電子機器を操作することを防止して、例えば悪意の第三者が勝手にＨＤＤパック内のデータへアクセスすることを防ぐことにある。また、もう一つの外部記憶装置であるフロッピーディスクドライブ等にＨＤＤの内容のデータをコピーして持ち去ることを防止することにある。
【０００９】
【課題を解決するための手段】
上述した課題を解決し、目的を達成するために本発明の電子機器は、電子機器の本体の上面部に配設される操作入力手段と、該操作入力手段の後方部位において回動自在に支持され、かつ閉状態において前記操作入力手段と対向した位置に配設されてなり、前記操作入力手段の蓋体となる表示部手段と、前記本体に着脱自在な外部記憶装置を収納固定する収容部と、第１のポジションと第２のポジションとの間で移動可能な施錠手段とを有し、前記施錠手段が、前記第１のポジションに位置する場合は、前記表示部手段が開閉可能な状態であると共に、前記外部記憶装置の施錠が不可な状態であり、前記施錠手段が前記第２のポジションに位置する場合は、前記表示部手段を閉状態で施錠した状態であると共に、前記外部記憶装置の施錠が可能な状態であることにより、電子機器を持ち帰ることを防止し、かつ外部記憶装置を取り出し不可にし、かつ表示器を閉状態でロックして、本体と外部記憶装置の盗難を防止すると共に、第三者が勝手に電子機器を操作できなくし、外部記憶装置のデータの盗難も防止する。
【００１０】
また、好ましくは、前記施錠手段は、前記第２のポジションにおいて、鍵がかけられる孔部を有することを特徴としている。
【００１２】
【実施例】
以下に、添付図面を参照して本発明の各実施例について具体的に説明すると、図１、図２は本発明を採用した電子機器の一実施例を示した外観斜視図であって、図１はＨＤＤ５を装着する前の様子、また図２は装着後に施錠可能になった様子を示したものである。
【００１３】
両図において、電子機器の本体１の上面には操作入力手段であるキーボード１ａが配設されている。また、本体１の上面奥側には、表示部２であって、液晶表示器の表示窓２ａが設けられており、本体１に対してヒンジ部２ｂにおいて回動自在にされ、かつ角度調整可能に支持されている。施錠部材３は本体１の不図示の部分において内部と外部に移動するように摺動可能に保持されており、この施錠部材３に一体的に形成されている操作ツマミ３ａをスライドさせることによりロックおよびロック解除位置に移動するように構成されている。
【００１４】
尚、図１は施錠部材３がロック解除位置に移動されている様子を示しており、図２と後述する図３においては施錠部材３がロック位置に移動している様子を示している。一方、表示部２の側面部位には、ロックツメ４ａが一体的に形成されている表示器ロック４が移動自在に設けられている。
【００１５】
この表示器ロック４は、施錠部材３がロック解除位置に移動しているときに、表示部２を閉状態に倒すとロックツメ４ａが本体１上面に形成されたロック孔１ｂ内に潜入するように構成されており、またロックツメ４ａは不図示の部分との間で付勢ばねにより常時付勢されておりロック孔１ｂの端面に掛止した状態で表示部２を本体１に対してロックする。この表示部ロック４を本体１の手前側方向にスライドさせるとロックツメ４ａはロック孔１ｂから外れて表示部２のロック状態が解除されるように構成されている。
【００１６】
一方、本体１の側面部位において着脱自在に設けられるＨＤＤパック５は、施錠部材３が通過できるほどの貫通孔６ａが設けられているＨＤＤ蓋６を用いて止めねじ８により固定されている。ＨＤＤパック５には、不図示の部分に制御および電源供給を行うためのコネクタ５ａが設けられており、矢印方向に挿入して固定位置まで移動することにより本体１内部のコネクタ（不図示）と電気的に接続されるものであって、ユーザーが簡単に装着できるように配慮されている。
【００１７】
このＨＤＤパック５は、ＨＤＤ蓋６で蓋をすることにより外側端面を押さえられ、ＨＤＤ蓋６を止めねじ８でとめることにより、図２に示すように、本体１内部に収納固定され、奥側に配設された外部記憶装置であるフロッピーディスクドライブ９（以下、ＦＤＤと記す）とともに使用される。
【００１８】
次に、図２の未使用時での施錠可能状態を示した外観斜視図において、電子機器を使用するときに、施錠部材３をロック解除位置に移動してから表示器２を上に向けて  回動して使用状態にする。そして、使用後に、表示器２を閉状態にするために前方に倒すとロックツメ４ａがロック孔１ｂに入り表示部２がロックされる。この後、操作ツマミ３ｂを矢印方向にスライドさせることにより施錠部材３がロック位置に移動するとともに、表示器２も同時にロックされる。
【００１９】
即ち、図３の盗難防止機構の透過斜視図において、施錠部材３には施錠用孔３ａ、操作ツマミ３ｂ、ツメストッパー３ｃ、クリックバネ３ｄが一体形成されており、施錠部材３はロック位置、ロック解除位置に移動しているときに、クリックバネ３ｄが不図示の部分で本体１ａ内壁に形成された溝に対して係合し軽く保持される状態になる。この施錠部材３がロック位置にあるとき、施錠用孔３ａはＨＤＤ蓋６の貫通孔６ａを介して外部に突出する。またこの状態では、ツメストッパー３ｃは、ロックツメ４ａがロック孔１ｂより外れることを阻止するため表示器２もロック状態となる。この状態で施錠用孔３ａに机などに固定されたチェーンと共に鍵をかけることにより、電子機器本体１と共にＨＤＤパック５の盗難防止ができる。さらに表示器２を閉状態でロックすることでキーボード１ａの入力操作を不可能にしてＨＤＤパック５のデータをＦＤＤ９にコピーする等して行われるデータ盗難が防止できる。
【００２０】
図４は、本発明のその他の実施例を示した、要部外観斜視図であって、本図において、表示器２の側面部位には、ロック用のフック２ｃが設けられている。また、表示器２の正面部位の略中央には表示部ロック４が設けられており、図示のように施錠部材３が移動されてロック位置にある時、表示器２を直接ロックできるように構成されており、上述の実施例と同様の効果が得られる。
【００２１】
また、図４において、表示部ロック２ｃは本体１の外側に設けられているが、表示器２が閉じた状態で本体内部に収納されるよう構成すれば外観を損なうことが無く、より良い構成となる。
【００２２】
以上説明したように、装置の使用後に、表示器を閉状態にするために前方に倒してから、ロック状態にするという簡単な操作により、悪意の第三者等により操作される事態を効果的に防止できる。尚、本発明は、上記の装置の例えばノート型パソコン、ワープロに限定されず、本体に対して開閉自在に設けられる表示器、操作部を備えた機器に全て適用可能であることはいうまでもない。
【００２３】
【発明の効果】
以上説明したように、本発明によれば、電子機器の本体と外部記憶装置の盗難を防止すると共に、第三者が勝手に電子機器を操作することを防止できると共に、外部記憶装置のデータの盗難防止を図ることのできる電子機器を提供することができる。
【００２５】
【図面の簡単な説明】
【図１】本発明の第１実施例を示す外観斜視図であって、表示部が開いた状態を示したものである。
【図２】本発明の第１実施例を示す外観斜視図であって、表示部が閉じた状態を示したものである。
【図３】盗難防止機構の要部透過斜視図である。
【図４】本発明の別の実施例を示す外観斜視図である。
【図５】従来の電子機器の盗難防止機構であり、組み付け前の様子を示す外観斜視図である。
【図６】図５の施錠状態の斜視図である。
【符号の説明】
１  本体
２  表示部
３  施錠部材
４  表示部ロック
５  ＨＤＤパック
６  ＨＤＤ蓋
８  ＨＤＤ蓋６の止めねじ
９  外部記憶装置であるフロッピーディスクドライブ
【図１】
0003542379.tif 000002
【図２】
0003542379.tif 000003
【図３】
0003542379.tif 000004
【図４】
0003542379.tif 000005
【図５】
0003542379.tif 000006
【図６】
0003542379.tif 000007